Podtech/llm-jp-corpus-v4-ja_patent huggingface dataset:
(57)【要約】【課題】  水陸両用自転車に於いて、水上での前進、後退を可能にし、陸上では車両に於ける、ペダルを止めての滑走を可能にする。【解決手段】  チェーンはペダルギヤ３によって回転され、水車用ギヤーはチェーンから直に回転され、駆動輪タイヤはワンウェイ装置を持ったギヤーを介して駆動力を伝えられるため、この課題を解決することができる。【選択図】図１
0003135058.tif 000002
【実用新案登録請求の範囲】
【請求項１】
水陸両用自転車に於いて、ペダルの回転力をチェーンによって伝えられる水かき用の水車は、ペダルと同調させ尚且つ同じチェーンで回転させられる駆動輪はフリーギアを介して駆動される駆動システム。
【考案の詳細な説明】
【技術分野】
【０００１】  本考案は、水陸両用自転車の駆動システムにおいて、陸上ではペダルを止めても車輌が滑走するフリーギヤシステムを有し、水上では前後進を可能とするため水かき水車の回転をペダルの回転と同調させる水陸両用自転車に於いての駆動システムに関する。
【背景技術】
【０００２】  従来の水陸両用自転車は、水車の駆動力を駆動輪から取っている上に、複雑なチェーンラインを持った比較的大型の車体が主流で、しかもその様なシステムを用いると、水上での後退が不可能である。
【考案の開示】
【考案が解決しようとする課題】
【０００３】  駆動力を駆動輪から取ると、水上航行中の後退時に駆動輪のワンウェイギヤが作動し、後退ができない。また、タイヤのワンウェイギヤをやめて直結ギヤにすると、水陸両用自転車のタイヤは正、逆方向に回転することが可能だが、ペダルがタイヤの回転にあわせて常時回転してしまうため、陸上走行時、特に下り坂での走行時にはペダルが急速に回転してしまう。そのため、運転手の足がペダルに巻き込まれるなどのトラブルが発生し、運転手に危険が生じてしまう。
【課題を解決するための手段】
【０００４】  そこで、ペダルの回転と水車の回転を同調させ、尚且つ駆動タイヤのワンウェイギヤに回転を伝えるシステムを考案した。（図１）
この駆動システムを用いる事により、水陸両用自転車の水車を正、逆回転させることが可能になり、それによって水上での前進、後退を可能にした。また、ペダルがタイヤの回転に対しフリーにもなることを可能にした事により、課題のような運転手の足がペダルに巻き込まれるようなトラブルを、一切なくす事に成功した。
【考案の効果】
【０００５】  よって本考案のシステムにより、水上走行時には、後退を必要とした場合にペダルを逆回転させれば後退する事ができ、また陸上走行時にはペダルの回転停止時、又は下り坂での滑走が可能になり従来の水陸両用自転車よりも小型で、尚且つ軽快な走行が可能となり、また運転手の足がペダルに巻き込まれるなどのトラブルも防止することに成功した。
【考案を実施するための最良の形態】
【０００６】  本考案のシステムは、図１に示すようにペダル２を漕ぎ、ペダルギヤ３から水車ギヤ５を回し、尚且つ後方の駆動用ワンウェイギヤ７を回転させ水車４の位置によりチェーン調整用ローラー９を備える。
【産業上の利用可能性】
【０００７】  地上から段差無く水に入れるような施設等で使用。
【図面の簡単な説明】
【０００８】
【図１】  本考案に係る、ペダルギヤ３、水車用ギヤ５、駆動タイヤ用ワンウェイギヤ７の構成図である。
【図２】  船体を取り付けた時の側面図である。
【図３】  横から見た全体図である。
【図４】  上から見た図である。
【符号の説明】
【０００９】  １        車体
２        ペダル
３        ペダルギヤ
４        水車
５        水車用ギヤ
６        駆動タイヤ
７        駆動用ワンウェイギヤ
８        チェーン
９        ローラー
１０      ハンドル
１１      シート
【図１】
0003135058.tif 000003
【手続補正書】
【提出日】平成19年5月17日(2007.5.17)
【手続補正１】
【補正対象書類名】明細書
【補正対象項目名】０００８
【補正方法】変更
【補正の内容】
【０００８】
【図１】本考案に係る、ペダルギヤ３、水車用ギヤ５、駆動タイヤ用ワンウェイギヤ７の構成図である。
(57)【要約】      （修正有）【課題】打ち上げ花火を打ち上げ時に、花火の殻や小石、土、砂が飛んでケガや火災の危険防止、小石、土、砂、で花火の固定と取り除く手間もかからない、手も汚れない花火を提供する。【解決手段】本体上部に角度板２とボルト３を設け、固定棒４、ワッシャ５、蝶ナット６を取り付け、花火の種類に合わせて、固定棒を移動させて蝶ナツトで花火を本体に固定と取り外しが確実で安全に打ち上げることを特徴とする花火台。【選択図】図３
0003135053.tif 000002
【実用新案登録請求の範囲】
【請求項１】
本体上部に角度板とボルトを設け、固定棒、ワツシャ、蝶ナツトを取り付け、花火の種類に合わせ、固定棒を移動させて蝶ナツトで打ち上げ花火を本体に固定と取り外しが確実で簡単にできて、打ち上げ花火を安全に打ち上げる事を特徴とする花火台。
【考案の詳細な説明】
【技術分野】
【０００１】  本発明は、花火台本体に角度板とボルトを設け、固定棒、ワツシヤ、蝶ナツトを使用して花火を本体に取り付け固定と取り外しを簡単で確実にして、安全に打ち上げる花火台に関するものである。
【背景技術】
【０００２】  従来、花火を打ち上げるとき、花火を固定する道具はなく、花火を地面に置いて、まわりを小石、土、砂で固定して打ち上げをしていた。
【考案の開示】
【考案が解決しようとする課題】
【０００３】  そのために、次のような問題があつた。
（イ）打ち上げの衝撃で花火を固定していた、小石、土、砂と花火の殻が飛んでケガ、火災の危険がある。
（ロ）打ち上げの花火１本ごとに小石、土、砂で固定したり、除いたりするので手間もかかるし、手も汚れる。
本発明は、これらの問題点を解決するためになされたものである。
【課題を解決するための手段】
【０００４】  花火台本体に、角度板、ボルトを設け、固定棒、ワツシヤ、蝶ナツトを取り付け、花火の種類に合わせて、固定棒を移動させて蝶ナツトで花火を本体に固定と取り外しが、確実で簡単にできて打ち上げ花火を安全に打ち上げる花火台である。
【考案の効果】
【０００５】  花火を花火台に確実に固定できて、花火の殻が飛んでのケガ、火災の防止、花火の取り付け取り外しが簡単で、手指も汚れず、小石、上、砂、で花火の固定と取り除く手間も省けるし、花火の大きさ１７ミリから７５ミリ、高さは７５ミリから３５０ミリ、形状は丸型、３角から８角、重さ、鉄とステンレス製で５５０グラムで、打ち上げでも花火台は動くことはなく安全に打ち上げることができる。
【考案を実施するための最良の形態】
【０００６】  以下、本発明の実施の形態を説明する。
（イ）花火台本体（１）上部にボルト（３）と角度板（２）を設ける。
（ロ）ボルト（３）に固定棒（４）ワツシヤ、（５）蝶ナツト（６）を取り付ける。
本発明は、以上の構成よりなつている。
これを使用するときは、花火（７）を花火台の本体（１）に取り付けて、先端部に固定用の突起と、前後に移動できる溝のある固定棒（４）を後ろに下げて花火（７）の大きさ、形状に合わせて、９０度の角度板（２）に花火（７）を軽く押し当て、花火（７）の導火線（８）を点火できる向きにして、片方の手指で、蝶ナツト（６）を掴み、もう片方の手指で固定棒（４）の後部を掴み、先端部を花火（７）に少し強く押し付け固定しながら、蝶ナツト（６）を回し固定する。
導火線に点火して打ち上げ後、蝶ナツト（６）を弛めて固定棒（４）を後ろに下げて、花火（７）の殻を取り外す。
【図面の簡単な説明】
【０００７】
【図１】本発明の斜視図
【図２】本発明の分解の斜視図
【図３】本発明の花火取り付け取り外しの斜視図
【図４】本発明の花火台使用の斜視図
【符号の説明】
【０００８】      １  本体
２  角度板
３  ボルト
４  固定棒
５  ワツシヤ
６  蝶ナツト
【図１】
0003135053.tif 000003
【図２】
0003135053.tif 000004
【図３】
0003135053.tif 000005
【図４】
0003135053.tif 000006
【手続補正書】
【提出日】平成19年2月15日(2007.2.15)
【手続補正１】
【補正対象書類名】実用新案登録請求の範囲
【補正対象項目名】請求項１
【補正方法】変更
【補正の内容】
【請求項１】
本体上部に角度板とボルトを設け、固定棒、ワツシヤ、蝶ナツトを取り付けて、花火を花火台に上げ、固定棒、ワツシヤ、角度板、蝶ナツトで締め付け、固定と取り外しをする事を特徴とする打ち上げ花火台。
【手続補正書】
【提出日】平成19年6月1日(2007.6.1)
【手続補正１】
【補正対象書類名】実用新案登録請求の範囲
【補正対象項目名】全文
【補正方法】変更
【補正の内容】
【実用新案登録請求の範囲】
【請求項１】
花火台本体上部にボルトと９０度の角度板を縦に設け、溝のついた固定棒、薄い丸ワツシヤ、蝶ナツトを本体上部に設けてあるボルトに固定棒、ワツシヤ、蝶ナツト、の順に組み込んで花火を本体下部に上げて、角度板につけて立て、固定棒を移動させて先端部を花火に押し当てて、少し強く締め付け後、蝶ナツトで固定棒を固定する事により、花火台に花火の固定と、蝶ナツトを弛めて固定棒を移動させて花火を花火台から取り外しする事を特徴とする打ち上げ花火台。
(57)【要約】      （修正有） 【課題】電気湯たんぽは電気分解の技術を利用し、水、または、水に塩などの不純物を入れ、その液体に交流電圧をかけ、液体を発熱体として温度上昇をさせているものがある。電気分解の技術を利用している関係で、液体が変色するし、液体中に電圧が印加され、電気湯たんぽが膨張する。液体を変色させることなく、液体中に電圧を発生させることなく、短時間に温度上昇をさせ、更に、液体が無くなった時、湯たんぽが裂けた時、火災が発生せず、安全な電気湯たんぽの発熱装置を提供する。【解決手段】バイメタル７、シーズヒーター８、温度ヒューズ９が組み込まれた発熱装置１１を用い、短時間に温度上昇させ、電気湯たんぽ内に液体が無くなった時、バイメタル７、温度ヒューズ９のどちらかが切断される。即ち、火災防止機能を働かせること。【選択図】図１
0003135021.tif 000002
【実用新案登録請求の範囲】
【請求項１】
表面温度を下げる目的で、シーズヒーターをアルミダイキャストで固体化し、そのケース内に火災防止目的の為、バイメタル、温度ヒューズを組み込み、更にその上をシリコンゴムで包まれた発熱装置。
【考案の詳細な説明】
【技術分野】
【０００１】
本考案は、電気湯たんぽの熱源として、シーズヒーターを用い、水を直接温める装置に関するものである。
【背景技術】
【０００２】
電気湯たんぽは、水、あるいは、水に塩などの不純物を入れ、電気分解の技術で、液体を温度上昇させている。電気分解の技術では、電極が酸化され、液体が変色し、しかも、液体中に電圧が存在している。
【０００３】
その改善策として、シーズヒーターを用いて液体の温度上昇を行なう。
【特許文献１】実願２００６−００４６０９
【考案の開示】
【考案が解決しようとする課題】
【０００４】
本考案は、電気湯たんぽの膨らみを抑え、液体を変色させず、液体中に電圧が存在せず、火災などの問題もなく安全に、短時間に温めるかが課題です。
【課題を解決するための手段】
【０００５】
本考案は上述の課題を解決する為に、シーズヒーター、バイメタル、温度ヒューズを組み込み、液体を直接温める装置を提供するものである。
【考案の効果】
【０００６】
電気湯たんぽ内の液体には電圧が印加されておらず、安全である。
【０００７】
電気湯たんぽ内の液体が変色しない。
【０００８】
電気湯たんぽ内の液体がなくなったとしても、ヒーター内のバイメタル、及びヒューズが動作し、電源が切れ、火災などの問題もなく、安全である。
【考案を実施するための最良の形態】
【０００９】
シーズヒーターをアルミダイキャストで固体化し、シリコンゴムで包まれたヒーター内に温度ヒューズ、バイメタルを組み込むことです。
【実施例】
【００１０】
図１を用い、本発熱装置を説明します。
電気湯たんぽは電源コード１、湯たんぽ３で構成されており、湯たんぽの構造は電源ソケット２、バイメタルなどのサーモスタット４、ヒューズなどの安全機構５、ＬＥＤなどの表示器６、アルミダイキャスト１０内に組み込まれたバイメタル７、シーズヒーター８、温度ヒューズ９で構成される発熱装置１１で形成されております。通電中のシーズヒーター８単体での温度は非常に高温ですが、アルミダイキャスト１０とシーズヒーター８とを合体することで、アルミダイキャスト１０表面温度は下がり、電気湯たんぽ内で問題なく使用できる。しかし、電気湯たんぽ３内の液体１２が少なくなったり、無くなったり、万一、電気湯たんぽが裂けた時には、バイメタル７、温度ヒューズ９が動作し、完全に電源が切断され、火災発生など無く安全です。
【産業上の利用可能性】
【００１１】
本考案は安全に水を温めることができ、電気湯たんぽの発熱装置として使用できる。
【図面の簡単な説明】
【００１２】
【図１】電気湯たんぽ配線図
【符号の説明】
【００１３】
１  電源コード、プラグ
２  電源ソケット
３  電気湯たんぽ
４  バイメタルなどのサーモスタット
５  ヒューズなどの安全機構
６  ＬＥＤなどの表示器
７  バイメタル
８  シーズヒーター
９  温度ヒューズ
１０  アルミダイキャスト
１１  発熱装置
１２  液体
【図１】
0003135021.tif 000003
(57)【要約】      （修正有）【課題】各種機器の基盤やスライド接点・コネクターの接点を復活させる接点復活用原液の容器を作業着のポケットに収納可能にし、塗布しやすくする選択性、携帯性、小型化を可能にする。【解決手段】透過性の樹脂で成型したキャップ１及び塗布部本体２と接点復活用の原液を詰めたカートリッジ３が順次連結された筆形接点復活用具であって、前記塗布部本体２には樹脂製の筆先が設けられ、核筆先側の反対側には前記塗布部本体２に原液を通す為の通路を設けたカートリッジ３が取付け可能で、接点復活用の原液が入ったカートリッジ３を固定させる事が出来、カートリッジ３の交換が可能であり前記カートリッジ３は弾力性樹脂からなり側面に原液を押し出す為の多角形に成形した部分の位置を指先で押すと前記筆先に接点復活用の原液が染み込む筆形接点復活用具であって、２種類の筆先が３に装着可能な筆形タイプにしている。【選択図】図１
0003135022.tif 000002
【実用新案登録請求の範囲】
【請求項１】
透過性の樹脂で成型したキャップ及び塗布部本体と接点復活用の原液を詰めたカートリッジが順次連結された筆形接点復活用具であって、前記塗布部本体には樹脂製の筆先が設けられ、核筆先側の反対側には前記塗布部本体に原液を通す為の通路を設けたカートリッジが取付け可能で、接点復活用の原液が入ったカートリッジを固定させる事が出来、カートリッジの交換が可能であり前記カートリッジは弾力性樹脂からなり側面に原液を押し出す為の多角形に成形した部分の位置を指先で押すと前記筆先に接点復活用の原液が染み込む筆形接点復活用具。
【考案の詳細な説明】
【技術分野】
【０００１】
本考案は、各種機器の基盤やスライド接点及びコネクター・充電端子の汚れを除去する筆形接点復活用具に関するものである。
【背景技術】
【０００２】
各種機器の基盤やスライド接点及びコネクター接点の汚れを除去する場合、汚れた接点に汚れを除去する原液をスプレーで吹き付けて除去するか、容器等に入った原液に刷毛を浸けて接点に塗って除去しているので必要箇所以外にも原液が飛散し付着するなど火気に気を付けないと火災の原因や余分に付着した原液を拭き取るなど作業性も悪く持ち運びにも不便で作業効率も悪い。
【考案の開示】
【考案が解決しようとする課題】
【０００３】
各種機器の基盤などの接点復活に使用している容器入り原液に刷毛を染み込ませて使用する刷毛形では工事スペースが狭い場所や高所などで塗布作業する時など持ち運びに不便で作業性が悪い、スプレー型では噴射量の調整が難しく必要以外の場所にも付着し回路など他に問題を起こす恐れがあり、火災の原因など安全性・時間的・作業スペース等の労働的負担である。従って接点復活用の原液と塗布部先端が筆形で作業着等のポケットに収納可能な用具にすることにより、必要な箇所に的確に無駄なく塗布が出来、持ち運びや片手での作業が可能となり安全性・作業性が向上し前途の欠点を解決しようとするものである。
【課題を解決するための手段】
【０００４】
本考案は、キャップ及び塗布部本体と接点復活用原液の入った交換可能なカートリッジで構成されており、筆形接点復活用具全体を透過性の例えばポリエチレン樹脂で成型し塗布部本体には樹脂整形した筆先を取り付け、接点活性化に適した接点復活用原液を通す為の通路を設けたカートリッジと塗布部本体を固定させる事が出来、カートリッジ交換が可能で多角形に成型した位置を手で押すことで塗布部の筆先に接点復活用原液が染み込む、使用する部分の形状に応じて筆先は平形と山形の２種類とし使用する形状に合わせて的確に塗布出来、作業着のポケットにも収納可能で問題点を解決している。
【考案の効果】
【０００５】
上述の様に、本考案の筆先形接点復活用具は各種機器及びスライド接点の充電端子などの汚れを的確に除去することは勿論、潤滑・接触機能回復が可能で原液の使用を必要最小限に抑え対象物以外に無駄に付着することもなく発火の恐れも無い、作業着のポケットに収納可能で利便性・安全性・作業効率の向上に役立つ。
【考案を実施するための最良の形態】
【０００６】
透過性のあるポリエチレン樹脂で成型したキャップ・塗布部本体・αオレフィンを主成分にした接点復活用原液入りカートリッジからなり、キャップは塗布部本体に差込式で作業着のポケットに収納可能、キャップに固定されている転がり防止部に落下防止用のストラップを取り付ける事も可能で、塗布部本体と接点復活用原液を通す為の通路を設けたカートリッジの取付けはカートリッジの交換が容易に出来るように塗布部本体とカートリッジを雄と雌のネジで固定、接点復活用原液の入ったカートリッジには接点復活用原液を塗布部本体筆先に押し出す為の弾力性のあるポリエチレン樹脂を多角形に成型してあり指で押すことにより接点復活用原液を筆先に簡単に押出し出来る形状としている。
【実施例】
【０００７】
以下、添付図面に従って一実例を説明する。１はキャップ部、２は塗布部本体、３は接点活性化に適した接点復活用原液収納用のカートリッジ部で、１・２・３共に透過性のポリエチレン樹脂の素材にて成型されており、１はキャップ部で転がり防止部分の１ａに落下防止用ストラップが取り付け可能な構造となっており落下防止用ストラップを取り付けると作業用のポケットに固定でき収納可能となる。２は塗布部本体で筆先は平形の２ａと山形の２ｂの２種類があり使用する箇所に適した筆先にて原液を塗布する。３は接点活性化に適した接点復活用原液が収納されているカートリッジ部で横断面が多角形（例えば六角形）に成型した３ａを軽く指先で押す事によりカートリッジ内３ｂの接点復活用原液が塗布部本体に接点復活用原液を通す通路より塗布部本体の筆先先端に接点復活用原液が押し出されて必要箇所に塗布することが出来る。
【０００８】
図２は塗布する形状に合わせて塗布部本体２の筆先形状を２ａの平型と２ｂの山型の２種類で凹凸のある各種機器・スライド接点・充電端子など形状の異なる箇所にも用途に応じて無駄無く簡単に塗布出来る形状になっている。
【図面の簡単な説明】
【０００９】
【図１】本考案の筆形接点復活用具の実施例を示す斜視図である。
【図２】筆形接点復活用具の２種類の塗布部の斜視図である。
【符号の説明】
【００１０】
１  キャップ
２  塗布部
３  原液収納用カートリッジ
【図１】
0003135022.tif 000003
【図２】
0003135022.tif 000004
(57)【要約】【課題】  本考案は、化粧料を含浸した顔用マスクに係り、さらに詳しくはマスクのあご部に折り曲げ線を形成して、あご部にボリュームを持つ使用者のあご部付近のフィット感を向上させた化粧料を含浸した顔用マスクを提供せんとするものである。【解決手段】  不織布で構成されるシート片を顔面を覆うことができる程度の大きさのマスク状に成形し、このシート片に化粧料を含浸させ、このシート片のあご部相当位置にあご折り曲げ用の切込みを形成したことを特徴とする。【選択図】  図１
0003135002.tif 000002
【実用新案登録請求の範囲】
【請求項１】
不織布で構成されるシート片を顔面を覆うことができる程度の大きさのマスク状に成形し、このシート片に化粧料を含浸させ、このシート片のあご部相当位置にあご折り曲げ用の切込みを形成したことを特徴とする化粧料を含浸した顔用マスク。
【請求項２】
前記あご折り曲げ用の切込みが、あご部の形状に沿うように形成されていることを特徴とする請求項1記載の化粧料を含浸した顔用マスク。
【請求項３】
前記あご折り曲げ用の切込みが、2本の並行破線で形成されていることを特徴とする請求項1又は2記載の化粧料を含浸した顔用マスク。
【考案の詳細な説明】
【技術分野】
【０００１】
本考案は、化粧料を含浸した顔用マスクに係り、さらに詳しくはマスクのあご部に折り曲げ線を形成して、あご部付近のフィット感を向上させた化粧料を含浸した顔用マスクに関するものである。
【背景技術】
【０００２】
従来、例えば化粧水、乳液、美容液などの化粧料を顔に簡単かつ長時間に亘り塗布する目的で、不織布等からなるシート状物に化粧料を含浸させ、それを封入袋で個別包装してなる顔用マスク(フェイスマスクとも称される)が市販されている。
【０００３】
この顔用マスクは、顔部の立体面に即してマスクが馴染んで密着するように、顔用マスクの周縁部の適所に複数の切込みを入れ、さらには顔用マスクにおける、目、鼻、口に対応する各部位に、孔を開けたり切込みを入れたりする等の工夫が施され、これにより顔用マスクの使用性を向上させていた。
【０００４】
【特許文献１】実用新案登録第３００７２２８号公報
【特許文献２】特開２００６−１５０４９号公報
【考案の開示】
【考案が解決しようとする課題】
【０００５】
上記特許文献１及び２に記載された化粧料を含浸した顔用マスクは、顔面の周縁部、特にあご部に折り曲げ用の切り込み破線が設けられていなかったため、あご部がボリューム感を持つようになる年代（平均的には４０代以降）の使用者にとって、あご部付近のフィット感が不満足となって使いにくいという問題点があった。
【０００６】
本考案は、上記の問題点を解消して、あご部にボリューム感を持つようになった４０代以降の年代の使用者にとって、使い易い特徴を持つ化粧料を含浸した顔用マスクを提供せんとするものである。
【課題を解決するための手段】
【０００７】
上記目的を達成するために、請求項１記載の考案は、不織布で構成されるシート片を顔面を覆うことができる程度の大きさのマスク状に成形し、このシート片に化粧料を含浸させ、このシート片のあご部相当位置にあご折り曲げ用の切込みを形成したことを特徴とする化粧料を含浸した顔用マスクである。
【０００８】
請求項２記載の考案は、前記あご折り曲げ用の切込みが、あご部の形状に沿うように形成されていることを特徴とする請求項1記載の化粧料を含浸した顔用マスクである。
【０００９】
請求項３記載の考案は、前記あご折り曲げ用の切込みが、2本の並行破線で形成されていることを特徴とする請求項1又は2記載の化粧料を含浸した顔用マスクである。
【考案の効果】
【００１０】
以上述べたように、請求項１の化粧料を含浸した顔用マスクによれば、あご部にボリューム感を持つようになった特に４０代以降の年代の使用者にとって、使用者の顔面中、あご部付近のフィット感が向上するという効果がある。
【００１１】
また請求項２及び３の化粧料を含浸した顔用マスクによれば、あご折り曲げ用の切込みが適切な状態で体裁よく形成されているので、使用時に違和感を感じさせずにあご部付近のフィット感を向上させることができるという効果がある。
【考案を実施するための最良の形態】
【００１２】
以下添付図面に基づいて、本考案に係る化粧料を含浸した顔用マスクの実施例を詳説する。
図１は本考案の化粧料を含浸した顔用マスクの正面図、図２は目相当部の折り返し片を下側に折り返し、鼻相当部に孔を確保した状態の正面図である。
【００１３】
本考案の化粧料を含浸した顔用マスクは、図１及び図2に示すように、シート片１は不織布で構成され、その大きさや形状は顔部を覆うことができる程度のマスク状を呈している。
このシート片１には、保湿成分や美白有効成分等を含む化粧料が含浸されている。
【００１４】
ついで、このシート片１の額2付近の上部や、目3、鼻4、口5の各周囲には切り込み線６が形成されている。
この切り込み線６のうち、額2の上部にあるものはシート片1の周縁7と接する状態で形成され、目3、鼻4、口5のものはシート片1の周縁7と接しない状態で形成されている。
またシート片1の周縁７の適所には、切り込み線６以外に、三角状のカット部8が複数個所形成されている。
【００１５】
上記の切り込み線6やカット部8は、シート片１の周縁７が顔面に密着できるようにする目的で形成されているもので、個人差に対応して切り込み線6やカット部8の開き具合が調整できるようになっている。この切り込み線６やカット部８の設置位置や設置本数は自由に選択できることは言うまでもない。
【００１６】
ついでシート片１の目3、鼻４、又は口５には孔９を形成しておくことが好ましく、この孔９が通気や視界を確保するのに役立ち、さらに必要に応じて目3の折り返し片１０等を、一部でシート片１と接続させておくと、これにより折り返し片１０（目部）を容易にかつ好みの方向に折り返せるようになる。
【００１７】
次に本考案のあご１１には、あご折り曲げ用の切り込み１２が形成され、このあご折り曲げ用の切り込み１２は、あご部にボリューム感を持つようになった、特に４０代以降の年代の使用者にフィットするように形成されている。
【００１８】
このあご折り曲げ用の切り込み１２は、各種形態のものが考えられるが、もっとも好ましい形態は、図１及び図２に示すようにあご部のカーブにあうように形成されている、２本の平行破線からなるものである。
この２本の平行破線の存在により、適切な位置であご部のカーブに沿ってマスクを折り曲げることができ、上記のフィット感の確保が達成できる。
【産業上の利用可能性】
【００１９】
本発明に係る化粧料を含浸した顔用マスクは、特に化粧用具として利用価値が高いので化粧品産業界において利用可能である。
【図面の簡単な説明】
【００２０】
【図１】本本考案の化粧料を含浸した顔用マスクの正面図である。
【図２】本本考案の化粧料を含浸した顔用マスクの、目相当部の折り返し片を下側に折り返し、鼻相当部に孔を確保した状態の正面図である。
【符号の説明】
【００２１】
１…シート片
２…額
３…目
４…鼻
５…口
６…切り込み線
７…シート片の周縁
８…カット部
９…孔
１０…折り返し片（目部）
１１…あご
１２…あご折り曲げ用の切り込み
【図１】
0003135002.tif 000003
【図２】
0003135002.tif 000004
(57)【要約】【課題】ファッション性と機能性を備えためがねホルダーを提供する。【解決手段】中心の基盤１と、基盤１の周囲に、揺動自在に取り付けた揺動枠２と、基盤１の上端に形成した吊り下げ部３とで構成する。揺動枠２にめがねのヒンジ部を係合して、基盤１を下げ紐４で吊り下げたときに、めがねのつる部に、基盤１の面が当接する。【選択図】        図１
0003135009.tif 000002
【実用新案登録請求の範囲】
【請求項１】
中心の基盤と、
基盤の周囲に、揺動自在に取り付けた揺動枠と、
基盤の上端に形成した吊り下げ部と、
吊り下げ部に取り付けた下げ紐とより構成し、
揺動枠にめがねのヒンジ部を係合して、
基盤を下げ紐で吊り下げたときに、
めがねのつる部に、基盤の面が当接するように構成した、
めがねホルダー。
【請求項２】
基盤が円盤であり、
揺動枠が、基盤を取り囲む環状である、
請求項１記載のめがねホルダー。
【請求項３】
基盤と吊り下げ部との間に基盤回転軸を介在させ、
この基盤回転軸を介して、
基盤が揺動枠の内部で回転することができる、
請求項１記載のめがねホルダー。
【考案の詳細な説明】
【技術分野】
【０００１】
本考案は、めがねホルダーに関するものである。
【背景技術】
【０００２】
従来からめがねの「つる」部分に釣り紐を取り付け、そのつり紐によってめがねを首からぶら下げるタイプのめがねホルダーが知られている。
【特許文献１】特公平９−２１１３９６
【考案の開示】
【考案が解決しようとする課題】
【０００３】
従来のめがねホルダーは、首からぶら下げる実用性はあるが、ファッションとしての魅力に欠ける点があった。
また簡単にめがねを取り付けられるめがねホルダーでは、めがねがホルダーから外れて落下する危険性があった。
【課題を解決するための手段】
【０００４】
上記のような課題を解決するために、本考案のめがねホルダーは、中心の基盤と、基盤の周囲に、揺動自在に取り付けた揺動枠と、基盤の上端に形成した吊り下げ部と、吊り下げ部に取り付けた下げ紐とより構成し、揺動枠にめがねのヒンジ部を係合して、基盤を下げ紐で吊り下げたときに、めがねのつる部に、基盤の面が当接するように構成しためがねホルダーを特徴としたものである。
【考案の効果】
【０００５】
本考案のめがねホルダーは以上説明したようになるから次のような効果を得ることができる。
＜１＞  通常は、めがねホルダーはめがねホルダーとして、ペンダントはペンダントとして別に購入しなければならないが、本考案のめがねホルダーはひとつを購入することで両方の機能を楽しむことができる。
＜２＞  揺動枠にめがねを係合した場合に、重力で揺動枠が鉛直姿勢に戻るために、揺動枠と中央の基盤との隙間が狭くなる。そこ結果、めがねのつるが、基盤と揺動枠の間に挟まる状態となり、めがねの滑り落ちが阻止される。
＜３＞  揺動枠にめがねを係合しない場合には、中央の基盤と周囲の揺動枠が調和して、周囲の枠体が中央の基盤とは異なった揺れを生じて表情を変化させる特殊なペンダントとして使用することができる。
＜４＞  中央の基盤も鉛直軸を中心に回転可能であるから、基盤を回転させることによって、ペンダントとしてデザインを大きく変更することができ、使用者はあたかも二種類のペンダントを所有しているようにそのデザインの変更を楽しむことができる。
【考案を実施するための最良の形態】
【０００６】
以下図面を参照にしながら本考案の好適な実施の形態を詳細に説明する。
【実施例】
【０００７】
＜１＞全体の構成。
本発明のめがねホルダーは、中心の基盤１と、基盤１の周囲の揺動枠２と、基盤１の上端の吊り下げ部３とより構成する。
【０００８】
＜２＞基盤１。
基盤１は、本考案のめがねホルダーの中心部に位置する金属製、合成樹脂製、木製の板体である。
基盤１はめがねホルダーの中心部に位置して、全体のデザインの中心を構成する。
したがって単なる円盤状だけではなく、動物やキャラクターの顔、ハートなどの幾何学模様、富士山などの風景、花や草木の図形、乗り物の外観などあらゆるものを取り入れてデザインとして採用することができる。
【０００９】
＜２＞揺動枠２。
基盤１の周囲には、揺動自在に揺動枠２を取り付ける。
この揺動枠２は、基盤１に設けた回転軸を介して基盤１に取り付け、回転軸を中心に回転、揺動自在に構成する。
図１の実施例のように、基盤１が正面から見た場合に左右対称の図形である場合には、揺動枠２はその基盤１の周囲を取り囲む環状に形成するとバランスのよいめがねホルダーを構成することができる。
なお、図の実施例では揺動枠２と基盤１との間に二本の回転軸を設けているが、１本の回転軸だけで基盤１の周囲に揺動枠２を取り付けることも可能である。
【００１０】
＜３＞吊り下げ部３。
ペンダントとして基盤１を首からぶら下げるために、基盤１の上端には吊り下げ部３を形成する。
この吊り下げ部３にリングなどを取り付け、リングにチェーンなどの吊り紐を通して首からぶら下げうるように構成する。
【００１１】
＜４＞基盤回転軸５。
図１の実施例のように、吊り下げ部３を、基盤１の一部として形成することもできるが、図６の実施例のように吊り下げ部３と基盤１とを別部材で構成することも可能である。
その場合には基盤１は、基盤回転軸５を介して吊り下げ部３に取り付ける。
すると本考案のめがねホルダーは、首にかけたまま吊り下げ部３を回転させることなく、基盤１とその周囲の揺動枠２を一度に回転させて裏返すことができる。
基盤１の表裏の模様、デザインを異なったものにしておけば、基盤１を裏返すことによって、ひとつのめがねホルダーを使用して、あたかも別のペンダントを着用しているような印象を与えることができる。
【００１２】
＜５＞めがねを係合した場合。
次に使用方法について説明する。
本考案のめがねホルダーを首から吊り下げた状態で、揺動枠２にめがねＧのつるＧ２を通す。（図３）
すると、めがねＧのヒンジ部Ｇ１が揺動枠２に係合することになる。（図４、５）
基盤１にも揺動枠２にも重力が作用しているから、両者はともに鉛直姿勢を維持する方向に戻る。
その結果、揺動枠２に係合しためがねＧのヒンジ部Ｇ１が、揺動枠２と基盤１の面とに挟まれる状態となる。
その結果、多少の揺れがあっても、めがねのつるＧ２が揺動枠２から滑り出すことがなく、安定した状態でメガネＧを吊り下げることができる。
【図面の簡単な説明】
【００１３】
【図１】本考案のめがねホルダーの実施例の説明図
【図２】揺動枠２を揺動させた状態の説明図。
【図３】揺動枠２のめがねのつるを挿入した状態の説明図。
【図４】めがねのヒンジ部を係合した状態の正面図。
【図５】めがねのヒンジ部を係合した状態の側面図。
【図６】他の実施例の説明図。
【図７】他の実施例の説明図。
【符号の説明】
【００１４】
１：基盤１
２：揺動枠２
３：吊り下げ部３
４：下げ紐４
５：基盤回転軸５
【図１】
0003135009.tif 000003
【図２】
0003135009.tif 000004
【図３】
0003135009.tif 000005
【図４】
0003135009.tif 000006
【図５】
0003135009.tif 000007
【図６】
0003135009.tif 000008
【図７】
0003135009.tif 000009
(57)【要約】      （修正有）【課題】半幅帯は、帯幅が通常の半分の幅の女帯であり、帯揚げ、帯締め等を使わなくてもよく、普段着や浴衣用として手軽に締められている帯である。普段着の帯であるとは言え、華やかに、お洒落に結びたいのは多くの着物愛好家の願いである。華やかさを演出する格調の高い半幅帯を提供する。【解決手段】普段着用として使用される半幅帯を、華やかさを演出するために、手先部及び垂れ部に帯本体とは別の第二の手先部や第二垂れ部を付設し、手先部や垂れ部を２枚の帯で構成することにより、帯の重量増加を最小限に抑え、結び方に応じた多様な柄とその組み合わせを見せることで、名古屋帯や袋帯のような華やかさを演出する格調の高い半幅帯とした。【選択図】図１
0003135004.tif 000002
【実用新案登録請求の範囲】
【請求項１】
手先部及び垂れ部に帯本体とは別の第二手先部及び第二垂れ部が付設された、手先部及び垂れ部が２枚の帯で構成される半幅帯。
【請求項２】
手先部又は垂れ部に帯本体とは別の第二手先部又は第二垂れ部が付設された、手先部又は垂れ部が２枚の帯で構成される半幅帯。
【考案の詳細な説明】
【技術分野】
【０００１】
本考案は、華やかさを演出するための半幅帯に関する。
【背景技術】
【０００２】
着物を着用するとき、帯をより華やかに見せる手法として、帯地布の表面に数本の飾りひだ条を長さ方向に形成し、ファッション性を高めた帯（例えば、特許文献１参照。）や帯体の胴捲部の一外側端縁部、手先部及び垂れ部の端縁部に裏布をひだ状に突出させ、一本で二様の使用を可能とする袋帯（例えば、特許文献２参照。）等が開示されている。
【０００３】
半幅帯は、帯幅が通常の半分の幅の帯であり、帯揚げ、帯締め等を使わなくてもよく、普段着や浴衣用として手軽に締められている帯である。普段着の帯であるとは言え、華やかに、お洒落に結びたいのは多くの着物愛好家の願いである。半幅帯は多種の結び方が提案されており、この結び方が華やかさやお洒落の演出にもなっている。また、半幅帯を２本重ねて使用し、より華やかに見せる方法が知られているが、重くまた苦しい状態で帯を締めることになり、決して合理的な方法であるとは言えない。
【０００４】
【特許文献１】実開昭６３−１９５３２号公報
【特許文献２】実開昭６２−８３８２０号公報
【考案の開示】
【考案が解決しようとする課題】
【０００５】
半幅帯は、帯幅が通常の半分の幅の帯であり、帯揚げ、帯締め等を使わなくてもよく、普段着や浴衣用として手軽に締められている帯である。普段着の帯であるとは言え、華やかに、お洒落に結びたいのは多くの着物愛好家の願いである。本考案は、華やかさを演出する格調の高い半幅帯を提供する。
【課題を解決するための手段】
【０００６】
本考案は、普段着用として使用される半幅帯を、華やかさを演出するために、手先部や垂れ部に帯本体とは別の第二手先部や第二垂れ部を付設し、手先部や垂れ部を２枚の帯で構成することにより、帯の重量増加を最小限に抑え、結び方に応じた多様な柄とその組み合わせを見せることで、名古屋帯や袋帯のような華やかさを演出する格調の高い半幅帯とした。
【考案の効果】
【０００７】
第二手先部や第二垂れ部を付設した本考案の半幅帯は、従来の半幅帯と比較して、華やかさの演出が可能となり、普段着や浴衣用として用いられる半幅帯を、着用者の好みに合せて、より華やかに、また格調高く着用することを可能にする。
【考案を実施するための最良の形態】
【０００８】
本考案は、普段着用として使用される半幅帯を華やかに、お洒落に結ぶために、手先部や垂れ部に帯本体とは別の第二手先部や第二垂れ部帯を付設したものであり、以下実施するための最良の形態を図面により説明する。
【０００９】
半幅帯の寸法は、概略、幅１６ｃｍ、長さ３．６ｍである。本考案の半幅帯は、通常の半幅帯の状態である半幅帯本体１の両端部である手先部３と垂れ部４に、半幅帯本体１と同じ幅で、７０〜１００ｃｍの長さの第二手先部５及び第二垂れ部６の何れか一方又は両方を図１に示すように付設した構造とする。第二手先部５及び第二垂れ部６の素材は、半幅帯本体１と共布、色違い、別布の何れであってもよい。演出する華やかさの目的に合わせて第二手先部５及び第二垂れ部６の素材を選択する。また、第二手先部５及び第二垂れ部６は、結び方や演出方法との関係で、何れか一方、又は両方に付設する。
【００１０】
本考案の半幅帯は、第二手先部５及び第二垂れ部６が、結び方との相乗効果により、二本の帯を重ねているように見え、これが華やかさを演出し、浴衣、小紋、紬等の普段着用として結ばれていた帯を、付け下げ等の格の高い着物に締めることを可能にする。また、素材の選択によっては振袖や留袖に締めることも可能である。
【００１１】
半幅帯の結び方はこれまでに開示されているものだけでも多くの種類がある。そして、現在も日日新たな結び方が提案されている。本考案の半幅帯はこのような従来からの結び方であっても印象の異なる帯として演出することが可能であるが、手先部や垂れ部が２枚で構成されるので、従来とは異なる新しい結び方が創造され、華やかさの演出を多様にすることが可能となる。
【００１２】
本考案の半幅帯は、第二手先部５や第二垂れ部６を付設し、帯を結んだ際の華やかさの演出に必要な手先部や垂れ部を２枚で構成し、胴捲き部は一枚のまま使用することで、着用者の負担を軽減しながら、恰も２本の帯を重ねて使用しているような効果を有する。
【実施例】
【００１３】
本考案の詳細を実施例で説明する。本考案はこの実施例によって何ら限定されるものではない。
【００１４】
図１に示すように、幅１６ｃｍ、長さ３．６ｍの半幅帯に、長さ８０ｃｍの第二手先部５及び第二垂れ部６を付設し、図２及び図３に示すような変わり結びをした。第二手先部５及び第二垂れ部６がない従来の半幅帯と比較して、華やかに、お洒落に結べることを確認した。
【図面の簡単な説明】
【００１５】
【図１】本考案半幅帯の斜視図である。
【図２】本考案半幅帯を結んだ状態の一例を示す図である。
【図３】本考案半幅帯を結んだ状態の一例を示す図である。
【符号の説明】
【００１６】
１  半幅帯本体
２  胴捲き部
３  手先部
４  垂れ部
５  第二手先部
６  第二垂れ部
【図１】
0003135004.tif 000003
【図２】
0003135004.tif 000004
【図３】
0003135004.tif 000005
(57)【要約】      （修正有）【課題】柔軟性を持たせた炭素繊維をネット状に編んだ炭素繊維ネットを提供する。【解決手段】炭素繊維の太さ及び網目の間隔を変える事により、網目を格子状だけでなく、ひし形や多角形状に編み上げ、装飾性も加味できる炭素繊維ネット。【選択図】図１
0003135049.tif 000002
【実用新案登録請求の範囲】
【請求項１】
本件は、柔軟性を持たせた炭素繊維をネット状に編み上げたネットで、防破損性、防護性、耐久性に優れたものとしたネットである。
【請求項２】
本ネットは、繊維の太さ、網目の大きさ、編み方を変えることで、さまざまな用途に利用することができるネットである。
【考案の詳細な説明】
【技術分野】
【０００１】  本考案は、柔軟性を持たせた炭素繊維をネット状に編みさまざまな用途に利用することができる。【０００２】  このネットの炭素繊維の太さおよび網目の間隔を変える事で、強度および加工のし易さが変るので、さまざまな用途に利用できる。【０００３】  炭素繊維は、強度があるので、防護用にも利用ができる。【０００４】  また、網目を格子状だけでなく、ひし形や、多角形状に編み上げることで、装飾性のあるネットとしても利用が考えられる。
【背景技術】
【０００５】  従来、網戸や防鳥ネットなどは、強度がないので、破損しやすく、防護上は問題があった。本考案では、炭素繊維が強度に優れているので、破損も少なく、防護上も有効である。
【考案が解決しようとする課題】
【０００６】  従来のものは、破損しやすく、防護上問題がある。
【考案の効果】
【０００７】  破損が少なく、防護上優れているので、防犯ネットや防護ネット、補強ネットとして利用ができる。また、建築物等の補強材としての利用もできる。
【考案を実施するための最良の形態】
【０００８】  詳しくは、図面１による。
【産業上の利用可能性】
【０００９】  防犯ネット、防護ネット、補強ネット、補強材としての利用が考えられる。
【図面の簡単な説明】
【００１０】
【図１】  説明図  ネットの簡単な構成説明図です
【図１】
0003135049.tif 000003
【手続補正書】
【提出日】平成18年12月28日(2006.12.28)
【手続補正１】
【補正対象書類名】実用新案登録請求の範囲
【補正対象項目名】請求項１
【補正方法】変更
【補正の内容】
【請求項１】
本案は、柔軟性を持たせた炭素繊維を複数束ねまたはより合せた糸状あるいはひも状としたものを格子状またはひし形状のネットに編み上げることで、高強度のネットとした、炭素繊維ネットである。
【手続補正２】
【補正対象書類名】実用新案登録請求の範囲
【補正対象項目名】請求項２
【補正方法】変更
【補正の内容】
【請求項２】
繊維の太さ、網目の大きさ、編み方を変えることで、さまざまな用途に利用することが可能であることを特徴とする、請求項１記載の炭素繊維ネットである。
【手続補正３】
【補正対象書類名】図面
【補正対象項目名】全図
【補正方法】変更
【補正の内容】
【図１】
0003135049.tif 000004
(57)【要約】【目的】熱効率の良い簡易暖房機を開発する事【構成】この考案は自動車用ヘッドライトを用い、スライドトランスまたはＡＣパワーコントローラーを経由してブリッジ整流器を通して１００ボルト、５０、６０ヘルツ交流電源を経由して適切な直流電圧で効率の良い簡易暖房機を開発した。【選択図】図１
0003135048.tif 000002
【実用新案登録請求の範囲】
【請求項１】
自動車用ヘッドライト単体のプラス、マイナス両極にリード線を繋ぎ１００ボルト５０、６０ヘルツ電源からスライドトランスかそれと同じ機能を示すＡＣパワーコントローラーを経由して、プリッジ整流器を通し、ヘッドライトのリードと結合し、スライドトランスの電圧を適当な位置に固定する事に依って、その出力は光と赤外線等を発生するが、その熱的出力はほとんど知られておらず、交流発熱体の発熱量よりはるかに大きく、この組み合わせをセットにして暖房機として使うと、熱効率の良い簡易暖房機が得られると同時に家庭用の照明として使える。
以上の組み合わせで、熱効率の良い事を主な特徴とする簡易暖房機。
【考案の詳細な説明】
【技術分野】
【０００１】本考案は簡易な暖房機に関するものである。
【背景技術】
【０００２】自動車のヘッドライトの直流発熱体は熱源としての性質はあまり知られていないが、その大きさは一般に販売されている交流発熱体の約２倍以上ある。
【考案の開示】
【考案が解決しようとする課題】
【０００３】
【０００４】熱効率の良い簡易的な暖房機が望まれていた。
【課題を解決する為の手段】
【０００５】自動車のヘッドライトに適当な直流を供給する事によってこの問題を解決した。
【考案の効果】
【０００６】直流光発熱体の表面から２．５センチメートルにおける温度は摂氏１００度を上回り、交流発熱体の入力が直流光発熱体の入力の２倍以上にしても最高摂氏６８度で、有効発熱面積を考慮しても、この装置は非常に熱効率が良い。
【考案を実施する為の最良の形態】
【０００７】機械の安全性を確保する事に留意する事。
【実施例１】
【０００８】自動車用ヘッドライトの両極にリード線を繋ぎ、１００ボルト５０、６０ヘルツの交流電源からスライドトランスまたはＡＣパワーコントローラーを経由してブリッジ整流器を通し自動車ヘッドライトのリード線に繋ぎ、スライドトランスの値を３８ボルトとし、電流は５．３アンペアを計測し、２０１ワットの入力で、発熱面から２．５センチメートルの距離で摂氏１００度以上、有効発熱面積１０６平方センチメートルを計測した。
これに対して、一般の交流発熱体では１００ボルト５０、６０ヘルツで電流は５．２アンペアを計測し、５２０ワットの入力で、発熱面から２．５センチメートルの距離で摂氏６８度、有効発熱面積１０７平方センチメートルを計測した。
これらの結果からこの簡易暖房機の有効性が出ている。
【産業上の利用可能性】
【０００９】熱効率が良簡易暖房機なので市場は大きいと思われる。
【図面の簡単な説明】
【００１０】
【図１】図１は請求項１の簡易暖房機の立面斜視図である。
【符号の説明】
【００１１】▲１▼自動車用ヘッドライト
▲２▼スライドトランス又はＡＣパワーコントローラー
▲３▼ブリッジ整流器
▲４▼１００ボルト５０、６０ヘルツ交流電源
▲５▼光熱線
【図１】
0003135048.tif 000003
【手続補正書】
【提出日】平成18年10月29日(2006.10.29)
【手続補正１】
【補正対象書類名】実用新案登録請求の範囲
【補正対象項目名】全文
【補正方法】変更
【補正の内容】
【実用新案登録請求の範囲】
【請求項１】
自動車用ヘッドライトの熱的な性質はあまり知られていないが、交流発熱体よりはるかに熱効率が良く、多量の発熱を発生するスライドトランス、ブリッジ整流器、車のヘッドライトの組み合わせの構成を特徴とする簡易暖房機。
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
自動車用ヘッドライトの両極にリ−ド線を繋ぎ、１００ボルト、５０、６０ヘルツの交流電源からスライドトランスまたはＡＣパワ−コントロ−ラ−を経由してブリッジ整流器を通し自動車用ヘッドライトのリ−ド線に繋ぎ、スライドトランスの電圧を適当な位置に固定する事に依って、その出力は光と赤外線を発生するが、暖房機として使うと、熱効率が交流方式の暖房機の２倍以上になる事を特徴とする簡易暖房機。
(57)【要約】【課題】製作コストを減少できて機械アームの使用寿命を延伸すること。【解決手段】アームとベアリング接合部からなり、アームをセラミック材料で構成する。【選択図】図１
0003137688.tif 000002
【実用新案登録請求の範囲】
【請求項１】
セラミックからなる機械アームであって、
前記機械アームは、アームとベアリング接合部と、噛合部からなり、
前記噛合部は、噛合方式で、もう一つの対応する機械アームと連接し、
少なくとも一組の凸柱は、前記アームから外に延伸し、
前記凸柱は前記噛合部と前記ベアリング接合部の間に位置することを特徴とする、
機械アーム。
【請求項２】
前記ベアリング接合部は少なくとも一つのベアリングを装着することを特徴とする、請求項１に記載の機械アーム。
【請求項３】
前記セラミック材料は、窒化ケイ素（Ｓｉ3Ｎ4）、二酸化ジルコニウム（ＺｒＯ2）、窒化アルミニウム（ＡｌＮ ）からなることを特徴とする、請求項１に記載の機械アーム。
【請求項４】
前記ベアリングはセラミック材料からなることを特徴とする、請求項２に記載の機械アーム。
【請求項５】
前記セラミック材料は、窒化ケイ素（Ｓｉ3Ｎ4）、二酸化ジルコニウム（ＺｒＯ2）、窒化アルミニウム（ＡｌＮ ）からなることを特徴とする、請求項４に記載の機械アーム。
【請求項６】
更に、第一機械アームを有し、前記機械アームの一側に位置し、前記第一機械アームの構造と前記機械アームは水平対称で、前記第一機械アームは第一噛合部、一組の第一凸柱を有し、前記噛合部と前記第一噛合部は噛合し、前記機械アームと前記第一機械アームは同時に作動することを特徴とする、請求項１に記載の機械アーム。
【請求項７】
前記噛合部と前記第一噛合部は各２４インチであることを特徴とする、請求項６に記載の機械アーム。
【請求項８】
少なくとも一つの弾性ばねを有し、前記弾性ばねの両端は、前記  凸柱、及び、前記第一凸柱上に固定され、前記機械アームと前記第一機械アームを連接することを特徴とする、請求項６に記載の機械アーム。
【考案の詳細な説明】
【技術分野】
【０００１】
本考案は、機械アームに関するものであって、特に、セラミック材料からなる機械アームに関するものである。
【背景技術】
【０００２】
機械製品は一定の使用寿命があり、機械製品の寿命に影響する原因はいろいろあるが、中でも摩耗や損傷が原因である。
摩耗や損傷は機械製品にとって避けられない要素であり、過度の摩耗や損傷は機械精度を低下させ、振動や安全上の問題が生じる。
よって、摩耗や損傷を減少させ、機械製品の使用寿命を増加することが重要な課題になっている。
【０００３】
公知の機械アームは、鋼、鉄、合金等の材料からなるため摩耗や損傷の度合いが大きいため機械アームの使用寿命が短い。
【考案の開示】
【考案が解決しようとする課題】
【０００４】
本考案は、セラミックの優れた物理特性により、機械アームの使用寿命を延伸することを目的とする。
【０００５】
本考案は、製作コストを減少できるセラミックからなる機械アームを提供することをもう一つの目的とする。
【課題を解決するための手段】
【０００６】
本考案は、セラミックからなる機械アームを提供し、機械アームは、アームとベアリング接合部、噛合部からなる。この他、上述の機械アームの構造と水平対称の第一機械アームを有し、噛合部により噛合し、弾性ばねにより機械アーム、及び、第一機械アームを連接し、開閉動作を行う。
【考案の効果】
【０００７】
セラミック材料からなる機械アームは、セラミック材料自身の物理特性を有し、よって、本考案の機械アームは公知の機械アームの材料（ステンレス）硬度を有しつつ、セラミック材料は公知の機械アームの材料よりも入手しやすいので、製作方式が簡単で、製作コストを減少させることができる。
【考案を実施するための最良の形態】
【０００８】
図１と図２を参照すると、機械アームは二つの水平対称な機械アームで、機械アーム１２、１４は、アーム１６、２０、及び、少なくともベアリング接合部１８、２２からなる。
機械アーム１２、１４は、それぞれ、噛合部２４、及び、第一噛合部２６を有し、噛合部２４と第一噛合部２６は噛合し、図１と図２中の機械アーム１２、１４は結合する。
噛合部２４、及び、第一噛合部２６の歯数は、各２４インチを選択する。
図１と図２で示されるように、ベアリング接合部１８、２２は、ベアリング（ボールベアリング）を装着している。機械アーム１２、１４が結合された後の状態が図３、図４で示され、機械アーム１２、１４の可動時の状態は図５で示される。
凸柱３２、第一凸柱３４は、アーム１６、２０よりそれぞれ外に延伸してなり、凸柱３２は噛合部２４とベアリング接合部１８の間に位置し、第一凸柱３４は噛合部２６とベアリング接合部２２の間に位置する。
弾性ばね２８、３０の両端はそれぞれ凸柱３２、第一凸柱３４上に固定され、機械アーム１２、１４と連接される。
【０００９】
本考案の機械アーム１２、１４は、セラミック材料からなる。
本考案のアーム部分が選択するセラミック材料は、窒化ケイ素（Ｓｉ3Ｎ4）、二酸化ジルコニウム（ＺｒＯ2）、窒化アルミニウム（ＡｌＮ ）からなる。ベアリングも、  窒化ケイ素（Ｓｉ3Ｎ4）、二酸化ジルコニウム（ＺｒＯ2）、  窒化アルミニウム（ＡｌＮ ）等のセラミック材料からなる。
【００１０】
セラミック材料の特色は、耐火、耐温、耐摩耗性があり、硬度、強度が非常に高く、且つ、摩擦係数、線的膨張係数が低いので、セラミック材料からなる機械アームは、高温、摩擦に耐えることができる。
よって、セラミック材料からなる機械アームは、セラミック材料自身の良好な物理的特性を有すると同時に、公知の機械アームの材料（ステンレス）の硬度を有する。
また、セラミック材料は公知の機械アームの材料より入手しやすいので、製作方法が簡単で、製作コストを低減できる。
【００１１】
本考案では好ましい実施例を前述の通り開示したが、これらは決して本考案に限定するものではなく、当該技術を熟知する者なら誰でも、本考案の精神と領域を脱しない範囲内で各種の置換や変更を加えることができる。
【図面の簡単な説明】
【００１２】
【図１】本考案の機械アームを示す図である。
【図２】本考案の機械アームを示す図である。
【図３】本考案のベアリングを結合する前の状態図である。
【図４】本考案のベアリングを結合した後の状態図である。
【図５】本考案の作動時の図である。
【符号の説明】
【００１３】
１２  機械アーム
１４  機械アーム
１６  アーム
１８  ベアリング接合部
２０  アーム
２２  ベアリング接合部
２４  噛合部
２６  第一噛合部
２８  弾性ばね
３０  弾性ばね
３２  凸柱
３４  第一凸柱
【図１】
0003137688.tif 000003
【図２】
0003137688.tif 000004
【図３】
0003137688.tif 000005
【図４】
0003137688.tif 000006
【図５】
0003137688.tif 000007